(57)【要約】【課題】大型門扉の戸先側のキャスターに門扉の荷重の負担がかかっても、キャスターが沈みこんだり、ガイドレールが変形することもなく、常時開閉操作を容易にすることができる門扉。【解決手段】吊元側を中心に回動して開閉する門扉１の戸先側にキャスター４を取りつけ、開口部の地面５には、門扉１を開閉した際に生じる上記キャスター４の移動軌跡に沿って円弧状のガイドレール６を設けるとともに、上記ガイドレール６は門扉１の全開時及び全閉時におけるキャスター４の位置を越える延長部１１を形成した。【選択図】        図２
2004278093.tif 000002
【特許請求の範囲】
【請求項１】
吊元側を中心に回動して開閉する門扉の戸先側にキャスターを取り付け、開口部の地面には、門扉を開閉した際に生じる上記キャスターの移動軌跡に沿って円弧状のガイドレールを設けるとともに、上記ガイドレールは門扉の全開時及び全閉時におけるキャスターの位置を越える延長部を形成したことを特徴とする門扉。
【請求項２】
前記ガイドレールの延長部には、キャスターストッパを取り付けた、請求項１記載の門扉。
【請求項３】
前記キャスターストッパは、前記ガイドレールの端部を覆う本体と、本体の両側から地中に埋設さされる脚部とを備えたものである、請求項１記載の門扉。
【請求項４】
前記ガイドレールはＬ字状に形成され、水平部は地面に露出し、垂直部は地中に埋設された、請求項１記載の門扉。
【請求項５】
前記ガイドレールの垂直部には、孔又は切欠きを形成した、請求項１記載の門扉。
【発明の詳細な説明】
【０００１】
【発明の属する技術分野】
本発明は、吊元側を中心に回動して開閉する門扉に関する。
【０００２】
【従来技術とその問題点】
一般に、この種の門扉は、吊元側のヒンジだけで門扉全体を支持している。このため、門扉が大型になると、自重により戸先側が垂れ下がるおそれがある。戸先が垂れ下がると門扉全体が変形するから、開閉も円滑に行なうことができなくなることが多い。
【０００３】
そこで、戸先の垂れ下がりを防止し、開閉操作をスムーズに行なうために戸先側にキャスターを取り付けることが行なわれている。しかしながら、キャスターが走行する地面に凹凸があると、走行に支障をきたすことがあった。また、門扉はヒンジとキャスターで支持するため、自重がキャスターに伝わり、開閉時に繰り返し走行する度に少しずつ走行部を掘り下げるので、それがだんだん大きくなって溝状になり、さらにそこにごみなどが溜まってキャスターの円滑な走行を妨げるという問題があった。さらに、大型の門扉は、必要以上に閉じたり開いたりすると、思わぬ事故を招くおそれがあった。
【０００４】
【発明が解決しようとする課題】
本発明は上記問題点を解消し、キャスターに大型門扉の戸先荷重の負担がかかっても、キャスターが沈みこんだり、ガイドレールが変形することがなく、常時開閉操作を容易にすることができる門扉を提供することをその課題とする。
【０００５】
【課題を解決するための手段】
前記課題を解決するため、本発明に係る門扉は、吊元側を中心に回動して開閉する門扉の戸先側にキャスターを取り付け、開口部の地面には、門扉を開閉した際に生じる上記キャスターの移動軌跡に沿って円弧状のガイドレールを設けるとともに、上記ガイドレールは門扉の全開時及び全閉時におけるキャスターの位置を越える延長部を形成したことを特徴とする。
【０００６】
なお、前記ガイドレールの延長部には、キャスターストッパを取り付けるのが好ましい。
【０００７】
また、前記キャスターストッパは、前記ガイドレールの端部を覆う本体と、本体の両側から地中に埋設さレタガイドレール脚部とを備えるようにするのがよい。
【０００８】
さらに、前記ガイドレールはＬ字状に形成され、水平部は地面に露出し、垂直部は地中に埋設されるようにするのが好ましい。
【０００９】
さらに、前記ガイドレールの垂直部には、孔又は切欠きを形成するのが好ましい。
【００１０】
【発明の実施の形態】
図１は本発明に係る門扉の正面図、図２はその平面図を示す。同図において符号１は門扉、２は門柱を示す。門扉１の吊元側の端部はヒンジ金具３を介して門柱２に回動可能に支持され、この戸先側のヒンジ金具３を中心に屋敷側に約９０°だけ回動することにより門柱２間の開口部を開閉できるように取り付けられている。
【００１１】
次に、上記門扉１は大型で、その戸先側の下部にはキャスター４が取り付けられ、開口部のコンクリートの地面５には、門扉１の開閉時にキャスター４が走行する円弧状の金属製ガイドレール６が設けられている。
【００１２】
上記ガイドレール６は図３に示されるように、断面が水平部７と垂直部８とからなるＬ字状に形成され、水平部７が円弧状をなすように形成されている。なお、垂直部８は円弧の外端縁から垂直に屈曲形成されている。また、垂直部８には孔９が貫通形成されている。
【００１３】
上記ガイドレール６は、コンクリートの地面５に対し、門扉１を開閉した際に生じる上記キャスター４の移動軌跡に沿って円弧状に配置されている。図４に示されるように、水平部７は地面５に露出し、垂直部８は地中に埋設されている。埋設時に垂直部８の孔９には、コンクリートの一部が食いこむから、ガイドレール６は地中から抜け出すことがなく、地中に安定に固定されている。
【００１４】
なお、ガイドレール６の垂直部８には孔９ではなく、図５に示すようなＬ字形等の切欠き１０を形成するようにしてもよい。
【００１５】
次に、上記ガイドレール６は門扉１の全開時及び全閉時におけるキャスター４の位置を越えるように形成され、越えた部分である延長部１１には、金属製のキャスターストッパ１２が取り付けられている。
【００１６】
キャスターストッパ１２は、図３に示されるように、やや長方形の板状本体１２ａの相対する長辺から斜めの脚片１３を形成するとともに、上記辺と隣り合って相対する短辺からそれぞれ垂直の支持片１４を垂下させ、支持片１４の下端を約直角に折り曲げて屈曲片１５を形成して成るものである。キャスターストッパ１２は、上記ガイドレール６の延長部１１を板状本体１２ａで覆うとともに脚片１３で上記板片が少し浮かせて支持し、支持片１４を地中に埋設させて全体を強固に固定するように取り付けられる。これにより、キャスターストッパ１２の内側の脚片１３は、ガイドレール６の水平部７から斜めに立ち上がるように形成されている。
【００１７】
上記構成によれば、ガイドレール６は水平部７が地面５から露出し、その上にキャスター４が係合している。また、門扉１を開閉した際に生じるキャスター４の移動軌跡に沿って配置されているから、門扉１を回動させると、キャスター４はガイドレール６上を転動する。ガイドレール６には凹凸がないから、キャスター４の転動はスムーズで、開閉操作も円滑に行なうことができる。また、門扉１が大型であるから、戸先側の荷重はキャスター４が負担することになる。しかし、キャスター４の下側にはガイドレール６があるから、キャスター４に戸先荷重の負担がかかっても、キャスター４が沈みこんだり、ガイドレール６が変形することもない。したがって、常時門扉１の開閉操作を容易にすることができる。
【００１８】
ガイドレール６の延長部１１には、キャスターストッパ１２が取り付けられている。したがって、開閉時にキャスター４がガイドレール６の所定の端部で停止するときはよいが、多少力を入れすぎてしまい、ガイドレール６の端部を越える勢いで押し過ぎた時でも、キャスター４はガイドレール６の端部に設けられたキャスターストッパ１２に係合して停止するから、門扉１がガイドレール６のキャスターストッパ１２を越えて回動することはない。
【００１９】
また、キャスターストッパ１２は、板状本体１２ａがガイドレール６の両端部を覆うように取り付けられているから、ガイドレール６の両端部が露出するのを防止して保護する。さらに、ガイドレール６は長期間使用しているうちに両端部がめくれあがることがあるが、両端部はキャスターストッパ１２によってめくれあがるのを抑止しているので、ガイドレール６は長期間にわたってキャスター４の転動を良好に保ち、門扉１の円滑な開閉を確保することができる。
【００２０】
【発明の効果】
請求項１に係る発明によれば、ガイドレールは、門扉を開閉した際に生じるキャスターの移動軌跡に沿って配置されているから、門扉を回動させると、キャスターはガイドレール上を転動する。ガイドレールには凹凸がなく、またキャスターとの摩擦抵抗も小さいから、キャスターの転動はスムーズで、開閉操作も円滑に行なうことができる。また、門扉が大型であるから、戸先側の荷重はキャスターが負担することになる。しかし、キャスターの下側にはガイドレールがあるから、キャスターに戸先荷重の負担がかかっても、キャスターが沈みこんだり、ガイドレールが変形することもない。したがって、常時門扉の開閉操作を容易にすることができる。
【００２１】
請求項２に係る発明によれば、さらに、ガイドレールの延長部にはキャスターストッパが取り付けられているので、門扉を全開または全閉の状態を越えて回動させようとしても、キャスターがキャスターストッパに当って所定の位置で停止するので、不測の事故を未然に防止することができる。
【００２２】
請求項３に係る発明によれば、さらに、キャスターストッパは、前記ガイドレールの端部を覆う本体と、本体の両側から地中に埋設される脚部とを備えている。したがって、ガイドレールの両端部が露出するのを防止して保護する。さらに、ガイドレールは長期間使用しているうちに両端部がめくれあがることがあるが、両端部はキャスターストッパによってめくれあがるのを抑止しているので、ガイドレールは長期間にわたってキャスターの転動を良好に保ち、門扉の円滑な開閉を確保することができる。
【００２３】
請求項４に係る発明によれば、ガイドレールの水平部は地面に露出し、垂直部は地中に埋設されているので、ガイドレールは安定的に固定され、キャスターの転動と門扉の開閉を良好に保持することができる。
【００２４】
請求項５に係る発明によれば、ガイドレールの垂直部には、孔又は切欠きを形成したので、垂直部をコンクリートの地面に埋設すると、孔又は切欠きにもコンクリートの一部が入り込むので、ガイドレールとコンクリートとが一体に結合し、ガイドレールが所定の位置から動かずに安定するので、キャスターの転動および門扉の開閉を良好に保持することができる。
【図面の簡単な説明】
【図１】本発明に係る門扉の正面図
【図２】上記門扉の平面図
【図３】ガイドレールの一部の斜視図
【図４】ガイドレールの孔を含む断面図
【図５】ガイドレールの他の例の一部の側面図
【符号の説明】
１  門扉
４  キャスター
６  ガイドレール
１２  キャスターストッパ
【図１】
2004278093.tif 000003
【図２】
2004278093.tif 000004
【図３】
2004278093.tif 000005
【図４】
2004278093.tif 000006
【図５】
2004278093.tif 000007